【手続補正書】
【提出日】平成28年8月29日(2016.8.29)
【手続補正１】
【補正対象書類名】明細書
【補正対象項目名】０００５
【補正方法】変更
【補正の内容】
【０００５】
以上の課題を解決するために、本発明に係る駆動装置は、負荷が接続された出力端子の出力電流値又は出力電圧値を変更可能な電源回路と、前記電源回路の出力端子と基準電位部との間に接続された出力キャパシタと、前記電源回路の出力端子と前記基準電位部との間に接続されたスイッチング素子と、前記電源回路の出力電流値又は出力電圧値を制御する制御部と、を備え、前記制御部が、前記スイッチング素子をオン・オフするとともに、前記スイッチング素子をオンにする期間中の前記電源回路の出力電流値又は出力電圧値を、その期間中の前記電源回路の出力端子の電圧がその期間の後に前記スイッチング素子をオフにする期間中の前記負荷にかかる電圧以下になるような値に制御することを特徴とする。
【手続補正２】
【補正対象書類名】明細書
【補正対象項目名】０００６
【補正方法】変更
【補正の内容】
【０００６】
本発明に係る駆動装置の制御方法は、負荷が接続された出力端子の出力電流値又は出力電圧値を変更可能な電源回路と、前記電源回路の出力端子と基準電位部との間に接続された出力キャパシタと、前記電源回路の出力端子と前記基準電位部との間に接続されたスイッチング素子と、を備える駆動装置を制御する制御方法であって、前記スイッチング素子をオン・オフするとともに、前記スイッチング素子をオンにする期間中の前記電源回路の出力電流値又は出力電圧値を、その後に前記スイッチング素子をオフにする期間中の前記負荷にかかる電圧以下の電圧になるような値に制御することを特徴とする。
【手続補正３】
【補正対象書類名】特許請求の範囲
【補正対象項目名】全文
【補正方法】変更
【補正の内容】
【特許請求の範囲】
【請求項１】
負荷が接続された出力端子の出力電流値又は出力電圧値を変更可能な電源回路と、
前記電源回路の出力端子と基準電位部との間に接続された出力キャパシタと、
前記電源回路の出力端子と前記基準電位部との間に接続されたスイッチング素子と、
前記電源回路の出力電流値又は出力電圧値を制御する制御部と、を備え、
前記制御部が、前記スイッチング素子をオン・オフするとともに、前記スイッチング素子をオンにする期間中の前記電源回路の出力電流値又は出力電圧値を、その期間中の前記電源回路の出力端子の電圧がその期間の後に前記スイッチング素子をオフにする期間中の前記負荷にかかる電圧以下になるような値に制御する
ことを特徴とする駆動装置。
【請求項２】
前記制御部が、前記スイッチング素子をオンにする期間中の前記電源回路の出力電流値又は出力電力値をゼロに制御する
ことを特徴とする請求項１に記載の駆動装置。
【請求項３】
前記制御部が、前記スイッチング素子をオンにする期間中の前記電源回路の出力電圧値を、その後に前記スイッチング素子をオフにする期間中の出力電圧値以下に制御する
ことを特徴とする請求項１に記載の駆動装置。
【請求項４】
前記制御部が、前記スイッチング素子をオフにする期間中の前記電源回路の出力電圧値又は出力電流値を一定に制御する
ことを特徴とする請求項１から３の何れか一項に記載の駆動装置。
【請求項５】
前記制御部が、前記スイッチング素子をオフにする期間中の前記電源回路の出力電圧値又は出力電流値を段階的に上昇させる
ことを特徴とする請求項１から３の何れか一項に記載の駆動装置。
【請求項６】
前記制御部が、前記スイッチング素子をオンからオフに切り替えた直後の前記電源回路の出力電圧値又は出力電流値を、前記スイッチング素子をオフからオンに切り替えた直前の前記電源回路の出力電圧値又は出力電流値よりも低く制御する
ことを特徴とする請求項５に記載の駆動装置。
【請求項７】
前記スイッチング素子をオンにする期間の長さは、その期間中に前記電源回路の出力端子の電圧が、その後に前記スイッチング素子をオフにする期間中の前記負荷にかかる電圧以下にまで低下するような長さである
ことを特徴とする請求項１から６の何れか一項に記載の駆動装置。
【請求項８】
前記スイッチング素子をオンにする期間の長さは、前記スイッチング素子をオフからオンに切り替える直前に制御する前記電源回路の出力電圧値又は出力電流値と前記スイッチング素子をオンからオフに切り替える直後に制御する前記電源回路の出力電圧値又は出力電流値との差に応じたものである
ことを特徴とする請求項６に記載の駆動装置。
【請求項９】
前記電源回路の出力端子と前記基準電位部との間に前記負荷とともに直列接続された第二スイッチング素子を更に備え、
前記制御部が、前記スイッチング素子のオン・オフに対して逆相的に前記第二スイッチング素子をオン・オフする
ことを特徴とする請求項１から８の何れか一項に記載の駆動装置。
【請求項１０】
前記電源回路の出力端子と前記基準電位部との間に、複数の前記負荷それぞれとともに直列接続された複数の第二スイッチング素子を更に備え、
前記制御部が、前記複数の第二スイッチング素子を時間的間隔を置いて順次オンにするよう前記複数の第二スイッチング素子をオン・オフし、前記複数の第二スイッチング素子の何れかをオンにする期間中に前記スイッチング素子をオフにし、前記複数の第二スイッチング素子の全てをオフにする期間中に前記スイッチング素子をオンにする
ことを特徴とする請求項１から４の何れか一項に記載の駆動装置。
【請求項１１】
前記電源回路の出力端子と前記基準電位部との間に、複数の前記負荷それぞれとともに直列接続された複数の第二スイッチング素子を更に備え、
前記制御部が、前記スイッチング素子をオフにする期間中に前記複数の第二スイッチング素子を順次オンにするよう前記複数の第二スイッチング素子をオン・オフする
ことを特徴とする請求項１から３、５、６の何れか一項に記載の駆動装置。
【請求項１２】
前記電源回路の出力端子と前記基準電位部との間に、複数の前記負荷それぞれとともに直列接続された複数の第二スイッチング素子を更に備え、
前記制御部が、前記スイッチング素子をオフにする期間中に前記複数の第二スイッチング素子を順次オンにするように前記複数の第二スイッチング素子をオン・オフするとともに、前記電源回路の出力電圧値又は出力電流値を上昇させる時に前記複数の第二スイッチング素子の何れかをオフからオンに切り替える
ことを特徴とする請求項５又は６に記載の駆動装置。
【請求項１３】
前記複数の負荷がダイオードであり、
前記複数の第二スイッチング素子に接続された前記複数の負荷の順方向電圧降下の昇順に前記複数の第二スイッチング素子をオンにする
ことを特徴とする請求項１１又は請求項１２に記載の駆動装置。
【請求項１４】
請求項１から１３の何れか一項に記載の駆動装置と、
前記負荷としての発光素子と、を備える
ことを特徴とする発光装置。
【請求項１５】
請求項１４に記載の発光装置を備える
ことを特徴とする投影装置。
【請求項１６】
負荷が接続された出力端子の出力電流値又は出力電圧値を変更可能な電源回路と、
前記電源回路の出力端子と基準電位部との間に接続された出力キャパシタと、
前記電源回路の出力端子と前記基準電位部との間に接続されたスイッチング素子と、を備える駆動装置を制御する制御方法であって、
前記スイッチング素子をオン・オフするとともに、前記スイッチング素子をオンにする期間中の前記電源回路の出力電流値又は出力電圧値を、その後に前記スイッチング素子をオフにする期間中の前記負荷にかかる電圧以下の電圧になるような値に制御する
ことを特徴とする制御方法。
【請求項１７】
負荷が接続された出力端子の出力電流値又は出力電圧値を変更可能な電源回路と、
前記電源回路の出力端子と基準電位部との間に接続された出力キャパシタと、
前記電源回路の出力端子と前記基準電位部との間に接続されたスイッチング素子と、
前記電源回路の出力電流値又は出力電圧値を変動させる制御部と、を備え、
前記制御部が、前記電源回路の出力電流値又は出力電圧値を大レベル、その大レベルよりも低い小レベル、その小レベル以上且つ大レベル未満の中レベルの順に制御するとともに、前記電源回路の出力電流値又は出力電圧値を前記大レベル及び前記中レベルに制御する期間中に前記スイッチング素子をオフにし、前記電源回路の出力電流値又は出力電圧値を前記大レベル及び前記小レベルに制御する期間中に前記スイッチング素子をオンにすることを特徴とする駆動装置。
【請求項１８】
前記制御部が、前記電源回路の出力電流値又は出力電圧値を前記中レベルにした後に前記スイッチング素子をオン・オフするとともに、前記スイッチング素子のオンの期間中に前記電源回路の出力電流値又は出力電圧値を前記小レベルに制御し、前記スイッチング素子のオフの期間中に前記電源回路の出力電流値又は出力電圧値を一定に制御し、前記スイッチング素子のオフに同期して前記電源回路の出力電流値又は出力電圧値を前記中レベルから前記大レベルに間欠的且つ段階的に上昇させる
ことを特徴とする請求項１７に記載の駆動装置。
【請求項１９】
前記制御部が、前記電源回路の出力電流値又は出力電圧値を前記中レベルにした後、前記スイッチング素子をオフ状態に保った状態で前記電源回路の出力電流値又は出力電圧値を前記中レベルから前記大レベルに段階的に上昇させる
ことを特徴とする請求項１７に記載の駆動装置。